(57)【要約】【課題】  低消費電力で、利用者の使い勝手を損なわないコードレス電話装置を提供する。【解決手段】  親機ユニット１と、子機ユニット２との間を非接触充電で電力給電を行うコードレス電話装置であって、子機ユニット２が親機ユニット１に載置された場合に親機ユニット１の無線制御部１０−３の電波の発信を停止する停止ステップと、非接触充電を介して親機ユニット１に到来した回線ＩＦ部１０−９からの着信情報を子機ユニット１に通知する通知ステップと、子機ユニット１のオフフックを検出した場合に無線制御部１０−３から電波の発信を開始する開始ステップを有する。【選択図】  図１
2018207277.tif 000002
【特許請求の範囲】
【請求項１】
電話網およびコードレス子機と接続し、コードレス子機が自装置に載置されると所定の非接触方式の充電回路を用いて電力給電を行うコードレス親機と、前記コードレス親機と第一の無線通信方式を用いて通信を行う第一無線通信機能と前記コードレス親機と前記非接触方式の充電回路を介して第二の無線通信方式を用いて通信を行う第二無線通信機能を具備するコードレス子機と、から構成されるコードレス電話装置の着信通知方法であって、
前記コードレス子機が前記コードレス親機に載置された場合に前記コードレス親機が第一の無線通信機能の電波の発信を停止する無線電波発信停止ステップと、
第二の無線通信機能を介して前記コードレス親機に到来した電話網からの着信情報を前記コードレス子機に通知する着信情報通知ステップと、
前記コードレス子機のオフフックを検出した場合に前記無線電波停止ステップで停止した第一の無線通信機能から電波の発信を開始する無線電波発信開始ステップを有することを特徴とするコードレス電話装置の着信通知方法。
【請求項２】
請求項１に記載のコードレス電話装置の着信通知方法であって、
前記コードレス親機と前記コードレス子機を対応付けて登録する親子登録ステップと、
前記コードレス親機が前記第二の無線通信機能を介して前記コードレス子機から端末ＩＤ情報を受信する端末ＩＤ情報通知ステップと、
前記受信した端末ＩＤ情報から自コードレス親機と対応付けて登録されたコードレス子機か否かを判定する親子判定ステップと、
前記親子判定ステップで正当なコードレス子機でないと判定した場合に、前記コードレス親機は前記無線電波発信停止ステップを実行せず前記第一の無線通信機能から発信する電波を停止しない事を特徴とするコードレス電話装置の着信通知方法。
【請求項３】
請求項２に記載のコードレス電話装置の着信通知方法であって、
前記親子判定ステップで正当なコードレス子機でないと判定した場合に、正当なコードレス子機でないことを前記コードレス親機に具備する表示部または鳴動部で通知する機能を有することを特徴とするコードレス電話装置の着信通知方法。
【請求項４】
請求項１から３のいずれかに記載のコードレス電話装置の着信通知方法であって、
前記非接触方式の充電回路を具備した前記コードレス親機と前記コードレス子機は、端末ＩＤ情報または相手名称または電話番号または無線チャネルまたは無線同期タイミングまたはシステム情報を通知する機能を有することを特徴とするコードレス電話装置の着信通知方法。
【請求項５】
電話網およびコードレス子機と接続し、コードレス子機が自装置に載置されると所定の非接触方式を用いて電力給電を行うコードレス親機と、前記コードレス親機と第一の無線通信方式を用いて通信を行う第一無線通信機能と前記コードレス親機と前記非接触方式を介して第二の無線通信方式を用いて通信を行う第二無線通信機能を具備するコードレス子機と、から構成されるコードレス電話装置であって、
前記コードレス親機は、
コードレス子機が載置されたことを検出する載置検出手段と、
前記コードレス子機が載置されたことを検出すると前記第一無線通信機能を停止する第一無線通信停止手段と、
前記電話網から着信を受付けると、前記載置検出手段によってコードレス子機が載置されていることを検出したならば、前記第二無線通信機能を用いて前記コードレス子機へ着信情報を通知する着信通知手段と、
前記コードレス子機のオフフックを検出すると前記第一無線通信機能を再開する第一無線通信機能再開手段と、を有し、
前記コードレス子機は、
前記非接触方式の電力を受電しているか否かを判定する受電判定手段と、
電力を受電していることを検出すると、前記第一無線通信機能を停止する子機側第一無線通信停止手段と、
前記コードレス親機から前記第二無線通信機能を介して着信情報を受信する着信情報受信手段と、
自己のオフフックを検出すると、前記第一無線通信機能を再開する子機側第一無線通信再開手段と、
を有することを特徴とするコードレス電話装置の着信通知方法。
【請求項６】
電話網およびコードレス子機と接続し、コードレス子機が自装置に載置されると所定の非接触方式を用いて電力給電を行い、当該コードレス子機と第一の無線通信方式を用いて通信を行う第一無線通信機能と、前記コードレス子機と前記非接触方式を介して第二の無線通信方式を用いて通信を行う第二無線通信機能とを具備するコードレス親機であって、
コードレス子機が載置されたことを検出する載置検出手段と、
前記コードレス子機が載置されたことを検出すると前記第一無線通信機能を停止する第一無線通信停止手段と、
前記電話網から着信を受付けると、前記載置検出手段によってコードレス子機が載置されていることを検出したならば、前記第二無線通信機能を用いて着信情報を前記コードレス子機へ通知する着信通知手段と
前記コードレス子機のオフフックを検出すると、前記第一無線通信機能を再開する第一無線通信機能再開手段と、
を有することを特徴とする非接触充電方式による伝送路を用いたコードレス親機。
【請求項７】
電話網およびコードレス親機と接続し、コードレス親機と所定の非接触方式を用いて電力受電を行い、当該コードレス親機と第一の無線通信方式を用いて通信を行う子機第一無線通信機能と、前記コードレス親機と前記非接触方式を介して第二の無線通信方式を用いて通信を行う子機第二無線通信機能とを具備するコードレス子機であって、
前記非接触方式の電力を受電しているか否かを判定する受電判定手段と、
電力を受電していることを検出すると、前記第一無線通信機能を停止する子機側第一無線通信停止手段と、
前記コードレス親機から前記第二無線通信機能を介して着信情報を受信する着信情報受信手段と、
自己のオフフックを検出すると、前記第一無線通信機能を再開する子機側第一無線通信再開手段と、を有することを特徴とする非接触充電方式による伝送路を用いたコードレス子機。
【発明の詳細な説明】
【技術分野】
【０００１】
本発明は、コードレス電話装置、特に事業所等でビジネスホン等の構内電話システムに接続されるコードレス親機と、当該コードレス親機と無線通信する機能を有し、かつ当該コードレス親機に着脱可能なように載置でき、非接触方式で充電されるコードレス子機とから構成されるコードレス電話装置に関する。
【背景技術】
【０００２】
従来、コードレス電話装置は、構内電話システムからの着信をコードレス親機が検出すると、無線通信によりコードレス子機へ着信を伝達し、コードレス子機では着信音等の可聴表示および発信側の発信者番号等の可視表示により、当該コードレス子機の使用者へ着信を通知している。
【０００３】
なお、当該着信は、いつ発生するか解らず、かつ、発生した場合は、可及的速やかに着信を通知する必要があるため、当該コードレス親機と当該コードレス子機の間では常時電波によるデータ通信が行われている。
【０００４】
一方、各種電子機器・通信機器等に対する低消費電力化の要求は近年ますます高まっており、コードレス電話装置についても消費電力を少しでも多く低減することが望まれている。
【０００５】
このような低消費電力化の要望に対し、例えば特許文献１は、待機期間中は電波によるデータ通信を行わず、親機が着信を検出すると、子機へ赤外線通信による信号を送信し、子機は当該赤外線信号を受信すると電波の監視を開始する技術が記載されている。
【先行技術文献】
【特許文献】
【０００６】
【特許文献１】特開２０００−１８４０６０号公報
【発明の概要】
【発明が解決しようとする課題】
【０００７】
しかし、特許文献１に記載の技術においては、赤外線通信を使用しているため、外部からの外来光による影響を防ぐ必要があり、コードレス親機とコードレス子機の赤外線発光・受光素子の構造的な位置関係が制約を受けてしまう。また、それ用に赤外線発光・受光素子が必要になり高価になってしまうという問題もある。
さらに、特許文献１に記載の技術では、コードレス親機が着信を検出してからコードレス子機が電波の監視を開始するまでに有る程度の時間が必要となり、親機が着信を検出してからコードレス子機へ着信を通知するまでに時間差が生じてしまい、利用者の使い勝手が損なわれるという問題もある。
【０００８】
本発明は、上記課題に鑑みなされたものであり、構造的な位置関係による制約を受けず、かつ、利用者の使い勝手も損なわないコードレス電話装置を提供することを目的とする。
【課題を解決するための手段】
【０００９】
上記課題を解決するために、本発明は、電話網およびコードレス子機と接続し、コードレス子機が自装置に載置されると所定の非接触方式の充電回路を用いて電力給電を行うコードレス親機と、前記コードレス親機と第一の無線通信方式を用いて通信を行う第一無線通信機能と前記コードレス親機と前記非接触方式の充電回路を介して第二の無線通信方式を用いて通信を行う第二無線通信機能を具備するコードレス子機と、から構成されるコードレス電話装置の着信通知方法であって、前記コードレス子機が前記コードレス親機に載置された場合に前記コードレス親機が第一の無線通信機能の電波の発信を停止する無線電波発信停止ステップと、第二の無線通信機能を介して前記コードレス親機に到来した電話網からの着信情報を前記コードレス子機に通知する着信情報通知ステップと、前記コードレス子機のオフフックを検出した場合に前記無線電波停止ステップで停止した第一の無線通信機能から電波の発信を開始する無線電波発信開始ステップを有することを特徴とする。
【発明の効果】
【００１０】
本発明によれば、コードレス子機をコードレス親機に載置すると、コードレス親機、コードレス子機ともに電波を停止してから待機状態になるため、消費電力は最小となる。
【００１１】
そして、電波停止中に着信を検出すると、非接触方式の充電回路を流用した伝送路を使用して、コードレス子機へ着信を通知し、コードレス子機は着信を通知されると、着信音等の可聴表示、発信者番号等の可視表示、などを行い、利用者へ即時に着信を知らせることができ、使用者の使い勝手は良好である。
【００１２】
また、コードレス電話装置が複数台設置されているような場所で、複数台への同時着信があると従来のものでは電波を同時発射するため混信してつぶし合いになってしまい着信するまで時間がかかったが、本発明を適用することで、同時着信があった場合でも電波のつぶし合いがほぼ発生しないため、即時着信が可能となるという効果もある。
【図面の簡単な説明】
【００１３】
【図１】本発明に係るコードレス電話装置の親機ユニットと子機ユニットのブロック図である。
【図２】本発明に係るコードレス電話装置の親機ユニットに正当な子機ユニットを置いた場合とそうでない子機ユニットを置いた場合の動作フローチャートである。
【図３】本発明に係るコードレス電話装置の子機ユニットを正当な親機ユニットに置いた場合とそうでない親機ユニットに置いた場合の動作フローチャートである。
【発明を実施するための形態】
【００１４】
以下、本発明の実施形態について説明する。
【００１５】
以下の実施形態では、コードレス電話装置として、コードレス子機（以下、子機ユニットともいう）と当該コードレス子機を載置（以下、オンフックともいう）して充電可能なコードレス親機（以下、親機ユニットともいう）とを例にあげて説明する。しかし、本発明はこれに限定されない。例えば、コードレス親機からコードレス子機への充電回路部分を分離独立させた構成として使用することもできる。
【００１６】
図１は、本発明に係るコードレス電話装置の親機ユニット１と子機ユニット２のブロック図である。親機ユニット１は、子機ユニット２と１対１で登録されている。
【００１７】
親機ユニット１は、回線ＩＦ部１０−９を経由して構内電話システムと接続されている。
【００１８】
制御部１０−１は、親機ユニット１に搭載する周辺部を制御する制御部である。
【００１９】
ＬＣＤ表示部１０−２は、制御部１０−１より受信した制御信号をもとにシステムの内線番号や使用者名称、発信者情報などを表示する。
【００２０】
無線制御部１０−３は、子機ユニット２と無線接続するための無線制御部であり、音声データや情報の通信を行う。
【００２１】
鳴動部１０−４は、キー操作音や着信音、エラー時の警告音などを制御部１０−１からの制御により鳴動させる。
【００２２】
ＩＤ記録部１０−５は、自親機ユニットの固有ＩＤや正当な子機ユニット２の固有ＩＤを記憶する。
【００２３】
操作部１０−６は、ダイヤルや文字入力に必要な機能が割り振られた操作用のボタンである。
【００２４】
親子ＩＤ判定部１０−７は、非接触給電部１０−８より受信した子機ユニット２の固有ＩＤをＩＤ記録部１０−５で記憶している情報と照合を行い、一致か不一致かの判定を制御部１０−１へ送信する。
【００２５】
非接触給電部１０−８は、電磁誘導方式、電磁共鳴方式、磁界共鳴方式のいずれかを使用した給電とデータ伝送の機能を有しており、子機ユニット２に具備する非接触受電部２０−６に電力給電する充電機能や固有ＩＤ、着信情報などのデータ伝送の送受信を行う。
【００２６】
次に、子機ユニット２は、親機ユニット１と対で使用する無線電話の子機である。
【００２７】
制御部２０−１は、子機ユニット２に搭載する周辺部を制御する制御部である。
【００２８】
無線制御部２０−２は、親機ユニット１と無線接続するための無線制御部であり、音声データや情報の通信を行う。
【００２９】
ＬＣＤ表示部２０−３は、制御部２０−１より受信した制御信号をもとにシステムの内線番号や使用者名称、発信者情報などを表示する。
【００３０】
ＩＤ記録部２０−４は、自子機ユニットの固有ＩＤや正当な親機ユニット１の固有ＩＤを記憶する。
【００３１】
鳴動部２０−５は、キー操作音や着信音、エラー時の警告音などを制御部２０−１からの制御により鳴動させる。
【００３２】
非接触受電部２０−６は、電磁誘導方式、電磁共鳴方式、磁界共鳴方式のいずれかを使用した給電とデータ伝送の機能を有しており、親機ユニット１に具備する非接触給電部１０−８より電力を受電し、子機ユニット２に具備する電池（図示しない）に充電をするほか、固有ＩＤ、着信情報などのデータ伝送の送受を行う。
【００３３】
図２は、親機ユニット１に正当な子機ユニット２を置いた場合とそうでない子機ユニット２を置いた場合の動作フローチャートである。図１のブロック図を併用して説明する。
【００３４】
親機ユニット１は、非接触給電部１０−８の電源をオンする（Ｓ２０１）。
【００３５】
制御部１０−１は、非接触給電部１０−８のオンフック検出を待つ（Ｓ２０２、ＮＯ）。子機ユニット２が親機ユニット１の非接触給電部１０−８を含む載置台に載置（オンフック）されると、非接触受電部２０−６に電力が給電され、この負荷変動より制御部１０−１でオンフックを検出する（Ｓ２０２、ＹＥＳ）。
【００３６】
次に、子機ユニット２より、無線ＩＤを受信した場合（Ｓ２０３、ＹＥＳ）、親子ＩＤ判定部１０−７へ子機ユニット２の無線ＩＤを送信する（Ｓ２０４）。
【００３７】
非接触給電部１０−８で、無線ＩＤを受信しなかった時（Ｓ２０３、ＮＯ）は、ステップＳ２０２で検出した物は異物であると判定し、非接触給電部１０−８の電源をオフする（Ｓ２１８）。
【００３８】
親子ＩＤ判定部１０−７は、ステップＳ２０４で受信した無線ＩＤがＩＤ記録部１０−５に記憶された情報と一致するかを判定し（Ｓ２０５）、一致した場合に正当な子機ユニット２と判定する。そして、正当な子機ユニット２と判定した場合（Ｓ２０５、ＹＥＳ）は、無線制御部１０−３の電源をオフし（Ｓ２０６）、回線ＩＦ部１０−９より着信信号を受信するのを待つ（Ｓ２０７、ＮＯ）。
【００３９】
正当な子機ユニット２でないと判定した場合（Ｓ２０５、ＮＯ）は、ＬＣＤ表示部１０−２へエラー表示を行う（Ｓ２１９）。そして、制御部１０−１は、回線ＩＦ部１０−９より着信信号を受信するのを待つ（Ｓ２２０、ＮＯ）。
【００４０】
回線ＩＦ部１０−９より着信信号を受信すると（Ｓ２０７、ＹＥＳ）、制御部１０−１は、鳴動部１０−４より着信音を鳴動させる（Ｓ２０８）。
【００４１】
ステップS２０８の動作と同時に、制御部１０−１は、非接触給電部１０−８に発信元の電話番号や名称の着信情報を送信する（Ｓ２０９）。
【００４２】
この時、着信情報として無線制御に使用するチャネル情報や同期信号を一緒に送信しても良い。
【００４３】
非接触給電部１０−８は、子機ユニット２の非接触受電部２０−６に対して着信情報を送信する（Ｓ２１０）。
【００４４】
非接触給電部１０−８の負荷変動を制御部１０−１で検出したことにより、子機ユニット２のオフフックを検出する（親機ユニット１に載置された子機ユニット２が外れる）と（Ｓ２１１、ＹＥＳ）、制御部１０−１は、無線制御部１０−３の電源をオンし（Ｓ２１２）、電波の空きを確認したあと、子機ユニット２に対し、無線接続要求を送信する（Ｓ２１３）。
【００４５】
ステップＳ２１１でオフフックを検出しなかった場合は（Ｓ２１１、ＮＯ）、ステップＳ２０７に戻る。
【００４６】
子機ユニット２との無線接続が完了すると（Ｓ２１４、ＹＥＳ）、発信元と通話を行い（Ｓ２１５）、子機ユニット２のオンフックを制御部１０−１で検出する、または子機ユニット２の操作部より切断操作の特定のコマンドを受信して通話を終話すると（Ｓ２１６、ＹＥＳ）、本フローを終了する（Ｓ２２４）。
【００４７】
子機ユニット２と無線の接続が完了しない場合は（Ｓ２１４、ＮＯ）、ステップＳ２１３に戻る。
【００４８】
ステップＳ２２０で回線ＩＦ部１０−９より着信信号を受信すると（Ｓ２２０、ＹＥＳ）、制御部１０−１は、電波の空きを確認したあと、正当な子機ユニット２に対し、無線接続要求を送信する（Ｓ２２１）。
【００４９】
無線の接続が完了したあと（Ｓ２２２、ＹＥＳ）、正当な子機ユニット２のオフフック検出を待ち（Ｓ２２３、ＮＯ）、オフフックを検出すると（Ｓ２２３、ＹＥＳ）、発信元と通話を行い（Ｓ２１５）、または正当な子機ユニット２の操作部より切断操作の特定のコマンドを受信して通話を終話すると（Ｓ２１６、ＹＥＳ）、本フローを終了する（Ｓ２２４）。
【００５０】
正当な子機ユニット２と無線の接続が完了しない場合は（Ｓ２２２、ＮＯ）、ステップＳ２２１に戻る。
【００５１】
図３は、子機ユニット２を正当な親機ユニット１に置いた場合とそうでない親機ユニット１に置いた場合の動作フローチャートである。図１のブロック図を併用して説明する。
【００５２】
子機ユニット２は、親機ユニット１の無線制御部１０−３が送信する着信情報を無線制御部２０−２で受信すると（Ｓ３０１、ＹＥＳ）、鳴動部２０−５で鳴動を開始し（Ｓ３０２）、操作部２０−７の通話操作で通話を開始後（Ｓ３０９）、操作部２０−７の終話操作で通話が切断される（Ｓ３１０、ＹＥＳ）。  無線制御部２０−２で着信情報を受信していない場合（Ｓ３０１、ＮＯ）、オンフックにより発生する非接触受電部２０−６の負荷変動を制御部２０−１で待つ（Ｓ３０３、ＮＯ）。
【００５３】
制御部２０−１でオンフックを検出すると（Ｓ３０３、ＹＥＳ）、ＩＤ記録部２０−４に記録している子機ユニット２の無線ＩＤを制御部２０−１から非接触受電部２０−６へ送り、親機ユニット１の非接触給電部１０−８に送信される（Ｓ３０４）。
【００５４】
制御部２０−１で非接触受電部２０−６からの着信情報を待ち（Ｓ３０５、ＮＯ）、着信情報を受信すると（Ｓ３０５、ＹＥＳ）、次にオフフック検出を待つ（Ｓ３０６、ＮＯ）。    
オフフックを検出すると（Ｓ３０６、ＹＥＳ）無線制御部２０−２で親機ユニット1の無性制御部１０−３から送信される無線接続要求を受信し（Ｓ３０７）、無線接続の完了を待ち（Ｓ３０８、ＮＯ）、正常に無線接続が完了すると（Ｓ３０８、ＹＥＳ）、通話へ移行し（Ｓ３０９）、操作部２０−７の終話操作や子機ユニット２を親機ユニット１の非接触給電部１０−８へ載置することでの終話を待つ（Ｓ３１０、ＮＯ）。
【００５５】
終話操作や親機ユニット１への載置により、終話する（Ｓ３１０、ＹＥＳ）。
【符号の説明】
【００５６】
１  親機ユニット
２  子機ユニット
１０−１  制御部
１０−２  ＬＣＤ表示部
１０−３  無線制御部
１０−４  鳴動部
１０−５  ＩＤ記録部
１０−６  操作部
１０−７  親子ＩＤ判定部
１０−８  非接触給電部
１０−９  回線ＩＦ部
２０−１  制御部
２０−２  無線制御部
２０−３  ＬＣＤ表示部
２０−４  ＩＤ記録部
２０−５  鳴動部
２０−６  非接触受電部
２０−７  操作部
【図１】
2018207277.tif 000003
【図２】
2018207277.tif 000004
【図３】
2018207277.tif 000005